(57)【要約】【課題】回路を効果的に簡素化することができる無停電電源システム用の昇圧モジュールを提供する。【解決手段】昇圧モジュールは、インバータモジュールと電池に電気的に接続される。昇圧モジュールは、第１のインダクタンスと、第１のコンデンサと、第２のコンデンサと、第１のスイッチユニットと、第２のスイッチユニットと、第３のスイッチユニットとを備える。無停電電源システムは、ラインモードまたは電池モードで、各スイッチユニットを制御することによって、第１のインダクタンスはＡＣ入力電圧を受け入れて充電する。そして、第１のコンデンサまたは第２のコンデンサは、第１のインダクタンスの出力電圧を受け入れる。したがって、各スイッチの制御によって元の回路のデザインを簡素化することができる。【選択図】図１
2018137971.tif 000002
【特許請求の範囲】
【請求項１】
インバータおよび電池に電気的に接続された無停電電源システム用の昇圧モジュールであって、前記無停電電源システムは、ラインモードおよび電池モードを有し、前記昇圧モジュールは、
第１の端部と第２の端部とを有し、前記第１の端部が電圧入力端に電気的に接続された第１のインダクタンスと、
第１の端部と第２の端部とを有し、前記第１の端部が前記インダクタンスの第２の端部及び前記インバータに電気的に接続され、前記第２の端部が基準電位に電気的に接続された第１のコンデンサと、
第１の端部と第２の端部とを有し、前記第１の端部が前記第１のコンデンサの第２の端部および基準電位に電気的に接続され、前記第２の端部が前記インバータ、前記電池および前記第１のインダクタンスの第２の端部に電気的に接続された第２のコンデンサと、
一端が前記インダクタンスの第２の端部、前記第１のコンデンサの第１の端部及び前記第２のコンデンサの第２の端部に電気的に接続され、他端が前記第１のコンデンサの第２の端部および第２のコンデンサの第１の端部に電気的に接続される第１のスイッチユニットと、
一端が前記第２のコンデンサの第２の端部及び前記電池に電気的に接続され、他端が前記基準電位に電気的に接続される第２のスイッチユニットと、
一端が前記第１のインダクタンスの第１の端部に電気的に接続され、他端が前記電池に電気的に接続される第３のスイッチユニットとを備え、
前記無停電電源システムがラインモードにある時、前記第１のスイッチユニットはオンになり、前記第２および第３のユニットはオフになり、前記第１のインダクタンスは、前記電圧入力端から入力される電圧によって充電され、前記第１のインダクタンスが放電され、且つ入力電圧が正の半サイクルである時、前記第１、第２および第３のスイッチユニットはオフになり、前記第１のコンデンサは、前記第１のインダクタンスの出力電圧を受け、前記第１のインダクタンスが放電され、且つ入力電圧が負の半サイクルである時、前記第１、第２および第３のスイッチユニットはオフになり、前記第２のコンデンサは、前記第１のインダクタンスの出力電圧を受け、
前記無停電電源システムが電池モードにある時、前記第１、第２および第３のスイッチユニットはオンになり、前記第１のインダクタンスは前記電池から入力される電圧によって充電され、前記第１のインダクタンスが放電され、且つ入力電圧が正の半サイクルである時、前記第１のスイッチユニットはオフになり、前記第２および第３のスイッチユニットはオンになり、前記第１のコンデンサは前記第１のインダクタンスの出力電圧を受け、前記第１のインダクタンスが放電され、且つ入力電圧が負の半サイクルである時、前記第１および第３のスイッチユニットはオンになり、前記第２のスイッチユニットはオフになり、前記第２のコンデンサは前記第１のインダクタンスの出力電圧を受けることを特徴とする無停電電源システム用の昇圧モジュール。
【請求項２】
前記第１のスイッチユニットは、第１のトランジスタおよび第２のトランジスタを備え、前記第２のスイッチユニットは、第３のトランジスタを備え、前記第３のスイッチユニットは、第４のトランジスタを備え、各前記トランジスタは、入力端、出力端および制御端をそれぞれ有し、前記第１のトランジスタの出力端は、前記第１のインダクタンスの第２の端部、前記第１のコンデンサの第１の端部および前記第２のコンデンサの第２の端部に電気的に接続され、前記第１のトランジスタの入力端は、前記第２のトランジスタの入力端に電気的に接続され、前記第２のトランジスタの出力端は、前記基準電位に電気的に接続され、前記第３のトランジスタの入力端は、前記第２のコンデンサの第２の端部および前記電池に電気的に接続され、前記出力端は前記基準電位に電気的に接続され、前記第４のトランジスタの出力端は、前記電池に電気的に接続され、前記入力端は前記第１のインダクタンスの第１の端部に電気的に接続されることを特徴とする請求項１に記載の昇圧モジュール。
【請求項３】
前記無停電電源システムがラインモードにある時、第１および第２のトランジスタの制御端は信号を受信してオンになり、前記第３および第４のトランジスタはオフになり、前記第１のインダクタンスが放電され、且つ入力電圧が正の半サイクルである時、前記第１、第２、第３および第４のトランジスタはオフになり、前記第１のインダクタンスが放電され、且つ入力電圧が負の半サイクルである時、前記第１、第２、第３および第４のトランジスタはオフになり、また前記無停電電源システムが電池モードにある時、前記第１、第２、第３および第４のトランジスタの制御端は信号を受信してオンになり、前記第１のインダクタンスが放電され、且つ入力電圧が正の半サイクルである時、前記第１および第２のトランジスタはオフになり、前記第３および第４のトランジスタの制御端は信号を受信してオンになり、前記第１のインダクタンスが放電され、且つ入力電圧が負の半サイクルである時、前記第１、第２および第４のトランジスタの制御端は信号を受信してオンになり、前記第３のトランジスタはオフになることを特徴とする請求項２に記載の昇圧モジュール。
【請求項４】
第１のダイオードと、第２のダイオードと、第３のダイオードと、第４のダイオードとをさらに備え、各前記ダイオードは入力端と出力端とを有し、前記第１のダイオードの入力端は前記第１のインダクタンスの第２の端部および前記第１のトランジスタの出力端に電気的に接続され、前記第１のダイオードの出力端は、前記第１のコンデンサの第１の端部および第２のダイオードの出力端に電気的に接続され、前記第２のダイオードの入力端は、前記第２のコンデンサの第２の端部、前記インバータおよび前記第３のダイオードの入力端に電気的に接続され、前記第３のダイオードの出力端は、前記第３のトランジスタの入力端および前記電池に電気的に接続され、前記第４のダイオードの入力端は前記第４のトランジスタの入力端に電気的に接続され、出力端は前記第１のインダクタンスの第１の端部に電気的に接続されることを特徴とする請求項２に記載の昇圧モジュール。
【請求項５】
前記インバータは、第５のトランジスタと、第６のトランジスタと、第２のインダクタンスとを備え、各前記トランジスタは、入力端、出力端および制御端をそれぞれ有し、前記第２のインダクタンスは、第１の端部および第２の端部を有し、前記第５のトランジスタの出力端は、前記第１のコンデンサの第１の端部に電気的に接続され、入力端は前記第６のトランジスタの出力端および前記第２のインダクタンスの第１の端部に電気的に接続され、前記第６のトランジスタの入力端は、前記第２のインダクタンスの第２の端部に電気的に接続され、前記第２のインダクタンスの第２の端部は、出力端に電気的に接続されることを特徴とする請求項２に記載の昇圧モジュール。
【請求項６】
各トランジスタはそれぞれボディダイオードに電気的に接続され、前記ボディダイオードは入力端および出力端を有し、前記ボディダイオードの入力端は、対応する各トランジスタの入力端に電気的に接続され、前記ボディダイオードの出力端は、対応する各トランジスタの出力端に電気的に接続されることを特徴とする請求項２または請求項５に記載の昇圧モジュール。
【請求項７】
制御スイッチをさらに備え、前記制御スイッチは、前記第１のインダクタンスの前記第１の端部と前記電圧入力端との間に電気的に接続され、前記無停電電源システムがラインモードにある時、前記制御スイッチはオンになり、前記無停電電源システムが電池モードにある時、前記制御スイッチはオフになることを特徴とする請求項１に記載の昇圧モジュール。
【請求項８】
前記電池はリチウム電池であることを特徴とする請求項１に記載の昇圧モジュール。
【発明の詳細な説明】
【技術分野】
【０００１】
本発明は、無停電電源システム用の昇圧モジュールに関し、より詳細には、回路を効果的に簡素化することができる無停電電源システム用の昇圧モジュールに関する。
【背景技術】
【０００２】
無停電電源装置（ＵＰＳ）においては、電池電力が信頼できる電気エネルギーを供給するため、中断されないシステムが安定した動作することを保障できる。従来の無停電電源装置（ＵＰＳ）のほとんどは、鉛蓄電池を使用し、プッシュプルコンバータを介して電池の電圧を上昇させ、昇圧された電圧をインバータへ出力する。
【０００３】
しかしながら、従来の無停電電源システムの電池は、電圧を高めるためにプッシュプルコンバータを介さなければならず、回路全体の複雑さを増大させ、無停電電源システムにも、プッシュプルコンバータの回路の設置に合わせ、体積を増加する必要がある。そして、電池がプッシュプルコンバータに介して電圧を出力すると、電圧出力効率が低下する。
【０００４】
したがって、プッシュコンバータを介さなくても、電池から直接電圧を出力できる設計ができれば、回路の簡素化、システム全体的体積の減少、および電池の電圧出力効率を向上させることができる。以上は本発明が重点的に検討しようとする問題である。
【発明の概要】
【０００５】
本発明の目的は、効果的に回路を簡素化する無停電電源システム用の昇圧モジュールを提供することにある。
【０００６】
本発明の他の目的は、回路設計を簡素化し回路面積を縮小する無停電電源システム用の昇圧モジュールを提供することにある。
【０００７】
本発明の他の目的は、電池の電圧出力効率を高める無停電電源システム用の昇圧モジュールを提供することにある。
【０００８】
本発明は、インバータおよび電池に電気的に接続可能な無停電電源システム用の昇圧モジュールであって、前記無停電電源システムは、ラインモードおよび電池モードを有し、前記昇圧モジュールは、第１のインダクタンスと、第１のコンデンサと、第２のコンデンサと、第１のスイッチユニットと、第２のスイッチユニットと、第３のスイッチユニットとを備える。第１のインダクタンスは、第１の端部および第２の端部を有し、前記第１のインダクタンスの第１の端部は電圧入力端に電気的に接続され、第１のコンデンサは、第１の端部および第２の端部を有し、前記第１のコンデンサの第１の端部は、前記インダクタンスの第２の端部および前記インバータに電気的に接続され、前記第２の端部は、基準電位に電気的に接続され、第２のコンデンサは、第１の端部および第２の端部を有し、前記第２のコンデンサの第１の端部は、前記第１のコンデンサの第２の端部および基準電位に電気的に接続され、前記第２のコンデンサの第２の端部は、前記インバータ、前記電池および前記第１のインダクタンスの第２の端部に電気的に接続され、第１のスイッチユニットは、前記インダクタンスの第２の端部、前記第１のコンデンサの第１の端部および前記第２のコンデンサの第２の端部に電気的に接続され、前記第１のスイッチユニットの他端は、前記第１のコンデンサの第２の端部および第２のコンデンサの第１の端部に電気的に接続され、第２のスイッチユニットは、前記第２のコンデンサの第２の端部および前記電池に電気的に接続され、第２のスイッチユニットの他端は、前記基準電位に電気的に接続され、第３のスイッチユニットは、前記第１のインダクタンスの第１の端部に電気的に接続され、前記第３のスイッチユニットの他端は、前記電池に電気的に接続される。
【０００９】
前記無停電電源システムがラインモードにある時、前記第１のスイッチユニットはオンになり、前記第２および第３のユニットはオフになり、前記第１のインダクタンスは、前記電圧入力端から入力される電圧によって充電される。前記第１のインダクタンスが放電され、且つ入力電圧が正の半サイクルである時、前記第１、第２および第３のスイッチユニットはオフになり、前記第１のコンデンサは、前記第１のインダクタンスの出力電圧を受ける。前記第１のインダクタンスが放電され、且つ入力電圧が負の半サイクルである時、前記第１、第２および第３のスイッチユニットはオフになり、前記第２のコンデンサは、前記第１のインダクタンスの出力電圧を受ける。
【００１０】
前記無停電電源システムが電池モードにある時、前記第１、第２および第３のスイッチユニットはオンになり、前記第１のインダクタンスは、前記電池から入力される電圧によって充電される。前記第１のインダクタンスが放電され、且つ入力電圧が正の半サイクルである時、前記第１のスイッチユニットはオフになり、前記第２および第３のスイッチユニットはオンになり、前記第１のコンデンサは、前記第１のインダクタンスの出力電圧を受ける。前記第１のインダクタンスが放電され、且つ入力電圧が負の半サイクルである時、前記第１および第３のスイッチユニットはオンになり、前記第２のスイッチユニットはオフになり、前記第２のコンデンサは、前記第１のインダクタンスの出力電圧を受ける。
【００１１】
本発明は、無停電電源システム用の昇圧モジュールであって、各スイッチユニットを制御することによって元の回路設計を簡素化することができ、元のプッシュプルコンバータを削除することができる。そして、昇圧モジュールと電池を直接電気的に接続することにより、電力効率が向上すると同時に、回路面積も縮小することができる。以上すべての目的を達成する。
【図面の簡単な説明】
【００１２】
【図１】本発明に係る無停電電源装置用の昇圧モジュールの回路図である。
【図２】図１がラインモードにある時の電流概略図である。
【図３】図１がラインモードにある時の電流概略図である。
【図４】図１がラインモードにある時の電流概略図である。
【図５】図１が電池モードにある時の電流概略図である。
【図６】図１が電池モードにある時の電流概略図である。
【図７】図１が電池モードにある時の電流概略図である。
【発明を実施するための形態】
【００１３】
図１によれば、昇圧モジュール１は、インバータ２および電池３に電気的に接続されることができ、本実施例の無停電電源システムは、電源を受けるためのラインモードと、電源がオフの時の電池モードとを有する。本発明において、電池３は、例えばリチウム電池である。本発明の昇圧モジュールは、第１のインダクタンスＬ１と、第１のコンデンサＣ１と、第２のコンデンサＣ２と、第１のスイッチユニット１１と、第２のスイッチユニット１２と、第３のスイッチユニット１３とを備える。第１のインダクタンスＬ１は、第１の端部Ｌ１１および第２の端部Ｌ１２を有し、第１の端部Ｌ１１は電圧入力端ＡＣ ｉｎｐｕｔに電気的に接続され、第１のコンデンサＣ１は、第１の端部Ｃ１１および第２の端部Ｃ１２を有し、第１の端部Ｃ１１は、インダクタンスＬ１の第２の端部Ｌ１２およびインバータ２に電気的に接続され、第２の端部Ｃ１２は、基準電位ＶＳＳに電気的に接続され、第２のコンデンサＣ２は、第１の端部Ｃ２１および第２の端部Ｃ２２を有し、第１の端部Ｃ２１は、第１のコンデンサＣ１の第２の端部Ｃ１２および基準電位ＶＳＳに電気的に接続され、第２のコンデンサＣ２の第２の端部Ｃ２２は、インバータ２、電池３および第１のインダクタンスＬ１の第２の端部Ｌ１２に電気的に接続され、第１のスイッチユニット１１は、インダクタンスＬ１の第２の端部Ｌ１２、第１のコンデンサＣ１の第１の端部Ｃ１１および第２のコンデンサＣ２の第２の端部Ｃ２２に電気的に接続され、第１スイッチユニット１１の他端は、第１のコンデンサＣ１の第２の端部Ｃ１２および第２のコンデンサＣ２の第１の端部Ｃ２１に電気的に接続され、第２のスイッチユニット１２は、第２のコンデンサＣ２の第２の端部Ｃ２２および電池３に電気的に接続され、他端は、基準電位ＶＳＳに電気的に接続され、第３のスイッチユニット１３は、第１のインダクタンスＬ１の第１の端部Ｌ１１に電気的に接続され、他端は、電池３に電気的に接続される。
【００１４】
図２〜４は、本発明の無停電電源システムがラインモードにある時の、電流の方向を説明するための回路図である。最初に、第１のスイッチユニット１１はオンになり、第２および第３のスイッチユニット１２、１３はオフになり、第１のインダクタンスＬ１は、電圧入力端ＡＣ ｉｎｐｕｔから入力される電圧によって充電される（図２に示すように）。第１のインダクタンスＬ１が放電され、且つ電圧入力端ＡＣ ｉｎｐｕｔから入力される電圧が正の半サイクルである時、第１、第２および第３のスイッチユニット１１、１２、１３はオフになり、第１のコンデンサＣ１は、第１のインダクタンスＬ１から出力された電圧によって充電される（図３に示すように）。次に、第１のスイッチユニット１１はオンになり、第２および第３のスイッチユニット１２、１３はオフになり、第１のインダクタンスＬ１は、もう一度電圧入力端ＡＣ ｉｎｐｕｔから入力される電圧によって充電される（図２に示すように）。第１のインダクタンスＬ１がもう一度放電されたら、今度電圧入力端ＡＣ ｉｎｐｕｔから入力される電圧が負の半サイクルであるので、第１、第２および第３のスイッチユニット１１、１２、１３はオフになり、第２のコンデンサＣ２は、第１のインダクタンスＬ１から出力された電圧によって充電される（図４に示すように）。
【００１５】
図５〜７は、本発明の無停電電源システムが電池モードにある時の、電流の方向を説明するための回路図である。最初に、第１、第２および第３のスイッチユニット１１、１２、１３はオンになり、第１のインダクタンスＬ１は電池３から入力される電圧によって充電される（図５に示すように）。第１のインダクタンスＬ１が放電され、且つ電池３から入力される電圧が正の半サイクルである時、第１のスイッチユニット１１はオフになり、第２および第３のスイッチユニット１２、１３はオンになり、第１のコンデンサＣ１は第１のインダクタンスＬ１から出力された電圧によって充電される（図６に示すように）。次に、第１、第２および第３のスイッチユニット１１、１２、１３はオンになり、第１のインダクタンスＬ１はもう一度電池３から入力される電圧によって充電される（図５に示すように）。第１のインダクタンスがもう一度放電されたら、今度電池３から入力される電圧が負の半サイクルであるので、第１および第３のスイッチユニット１１、１３はオンになり、第２のスイッチユニット１２はオフになり、第２のコンデンサＣ２は第１のインダクタンスＬ１の出力電圧によって充電される（図７に示すように）。
【００１６】
第１のスイッチユニット１１は、第１のトランジスタＱ１および第２のトランジスタＱ２を備え、第２のスイッチユニット１２は、第３のトランジスタＱ３を備え、前記第３のスイッチユニット１３は、第４のトランジスタＱ４を備え、各トランジスタＱ１〜Ｑ４は、入力端、出力端および制御端をそれぞれ有し、第１のトランジスタＱ１の出力端Ｑ１２は、第１のインダクタンスＬ１の第２の端部Ｌ１２、第１のコンデンサＣ１の第１の端部Ｃ１１および第２のコンデンサＣ２の第２の端部Ｃ２２に電気的に接続され、第１のトランジスタＱ１の入力端Ｑ１１は、第２のトランジスタＱ２の入力端Ｑ２１に電気的に接続され、第２のトランジスタＱ２の出力端Ｑ２２は、基準電位ＶＳＳに電気的に接続され、第３のトランジスタＱ３の入力端Ｑ３１は、第２のコンデンサＣ２の第２の端部Ｃ２２および電池３に電気的に接続され、出力端Ｑ３２は基準電位ＶＳＳに電気的に接続され、第４のトランジスタＱ４の出力端Ｑ４２は、電池３に電気的に接続され、入力端Ｑ４１は第１のインダクタンスＬ１の第１の端部Ｌ１１に電気的に接続される。
【００１７】
したがって、無停電電源システムがラインモードにある時、第１および第２のトランジスタＱ１、Ｑ２の制御端は信号を受信してオンになり、第３および第４のトランジスタＱ３、Ｑ４はオフになり（図２に示すように）、第１のインダクタンスＬ１が放電され、且つ入力された電圧が正の半サイクルである時、第１、第２、第３および第４のトランジスタＱ１〜Ｑ４はオフになり、第１のコンデンサＣ１は第１のインダクタンスＬ１から出力された電圧を受け（図３に示すように）、第１のインダクタンスＬ１が放電され、且つ入力された電圧が負の半サイクルである時、第１、第２、第３および第４のトランジスタＱ１〜Ｑ４はオフになり、第２のコンデンサＣ２は第１のインダクタンスＬ１から出力された電圧を受ける（図４に示すように）。
【００１８】
無停電電源システムが電池モードにある時、第１、第２、第３および第４のトランジスタＱ１〜Ｑ４の制御端は信号を受信してオンになり（図５に示すように）、第１のインダクタンスＬ１が放電され、且つ入力された電圧が正の半サイクルである時、第１および第２のトランジスタＱ１、Ｑ２はオフになり、第３および第４のトランジスタＱ３，Ｑ４の制御端は信号を受信してオンになり、第１のコンデンサＣ１は第１のインダクタンスＬ１から出力された電圧を受け（図６に示すように）、第１のインダクタンスＬ１が放電され、且つ入力された電圧が負の半サイクルである時、第１、第２および第４のトランジスタＱ１、Ｑ２、Ｑ４の制御端は信号を受信してオンになり、第３のトランジスタＱ３はオフになり、第２のコンデンサＣ２は第１のインダクタンスＬ１から出力された電圧を受ける（図７に示すように）。
【００１９】
一方、本発明の昇圧モジュールは、第１のダイオードＤ１と、第２のダイオードＤ２と、第３のダイオードＤ３と、第４のダイオードＤ４とをさらに備え、各ダイオードＤ１〜Ｄ４は入力端と出力端とをそれぞれ有し、第１のダイオードＤ１の入力端は第１のインダクタンスＬ１の第２の端部Ｌ１２および第１のトランジスタＱ１の出力端Ｑ１２に電気的に接続され、第１のダイオードＤ１の出力端は、第１のコンデンサＣ１の第１の端部Ｃ１１および第２のダイオードＤ２の出力端に電気的に接続され、第２のダイオードＤ２の入力端は、第２のコンデンサＣ２の第２の端部Ｃ２２、インバータ２および第３のダイオードＤ３の入力端に電気的に接続され、第３のダイオードＤ３の出力端は、第３のトランジスタＱ３の入力端Ｑ３１および電池３に電気的に接続され、第４のダイオードＤ４の入力端は第４のトランジスタＱ４の入力端に電気的に接続され、出力端は第１のインダクタンスＬ１の第１の端部Ｌ１１に電気的に接続される。
【００２０】
本発明のインバータ２は、第５のトランジスタＱ５と、第６のトランジスタＱ６と、第２のインダクタンスＬ２とを備え、各トランジスタＱ５、Ｑ６は、入力端、出力端および制御端をそれぞれ有し、第２のインダクタンスＬ２は、第１の端部Ｌ２１および第２の端部Ｌ２２を有し、第５のトランジスタＱ５の出力端Ｑ５２は、第１のコンデンサＣ１の第１の端部Ｃ１１に電気的に接続され、入力端Ｑ５１は第６のトランジスタＱ６の出力端Ｑ６２および第２のインダクタンスＬ２の第１の端部Ｌ２１に電気的に接続され、第６のトランジスタＱ６の入力端Ｑ６１は、第２のコンデンサＣ２の第２の端部Ｃ２２に電気的に接続され、第２のインダクタンスＬ２の第２の端部Ｌ２２は、出力端ＡＣ ｏｕｔｐｕｔに電気的に接続される。
【００２１】
本実施例において、各トランジスタはさらにそれぞれボディダイオードに電気的に接続されることができ、ボディダイオードは入力端および出力端を有し、ボディダイオードの入力端は、対応する各トランジスタの入力端に電気的に接続され、ボディダイオードの出力端は、対応する各トランジスタの出力端に電気的に接続される。
【００２２】
本発明の昇圧モジュール１は、制御スイッチＳＷをさらに備えることができ、制御スイッチＳＷは、第１のインダクタンスＬ１の第１の端部Ｌ１１と電圧入力端ＡＣ ｉｎｐｕｔとの間に電気的に接続され、無停電電源システムがラインモードにある時、制御スイッチＳＷはオンになり、無停電電源システムが電池モードにある時、制御スイッチＳＷはオフになる。
【００２３】
本発明は、無停電電源システム用の昇圧モジュールであって、制御信号によって各スイッチユニットを制御し、昇圧モジュールの回路を共有できるように、元のプッシュプルコンバータの回路構造に置換する。このようにして、元の回路設計を簡素化することができるだけでなく、昇圧モジュールと電池を直接電気的に接続することにより、電力効率が向上すると同時に、回路面積も縮小することができる。以上すべての目的を達成する。
【００２４】
以上、本発明は、好ましい実施例として開示されているが、本発明を限定するものではなく、当業者に一般的な知識があり、本発明の精神及び範囲内において、少しの変更を加えたり修正したりすることができる。本発明の保護範囲は、特許請求の範囲によって規定される。
【符号の説明】
【００２５】
１  昇圧モジュール
２  インバータ
３  電池
Ｌ１  第１のインダクタンス
Ｌ２  第２のインダクタンス
Ｃ１  第１のコンデンサ
Ｃ２  第２のコンデンサ
１１  第１のスイッチユニット
１２  第２のスイッチユニット
１３  第３のスイッチユニット
Ｌ１１、Ｌ２１、Ｃ１１、Ｃ２１  第１の端部
Ｌ１２、Ｌ２２、Ｃ１２、Ｃ２２  第２の端部
Ｑ１、Ｑ２、Ｑ３、Ｑ４、Ｑ５、Ｑ６  第１〜第６のトランジスタ
Ｑ１１、Ｑ２１、Ｑ３１、Ｑ４１、Ｑ５１、Ｑ６１  入力端
Ｑ１２、Ｑ２２、Ｑ３２、Ｑ４２、Ｑ５２、Ｑ６２  出力端
Ｄ１、Ｄ２、Ｄ３、Ｄ４  第１〜第４のダイオード
ＶＳＳ  基準電位
ＡＣ ｉｎｐｕｔ  電圧入力端
ＡＣ ｏｕｔｐｕｔ  出力端
ＳＷ  制御スイッチ
【図１】
2018137971.tif 000003
【図２】
2018137971.tif 000004
【図３】
2018137971.tif 000005
【図４】
2018137971.tif 000006
【図５】
2018137971.tif 000007
【図６】
2018137971.tif 000008
【図７】
2018137971.tif 000009